(57)【要約】  蓄電装置１００は、正極電極及び負極電極を備える電極組立体３と、一端が電極組立体３と電気的に接続されているタブ９と、電極組立体３の上方に配置され、タブ９と電気的に接続されている導電部材２０と、を備えている。タブ９は、タブ９の一端の近傍に設けられる第１屈曲部１４と、タブ９の他端の近傍に設けられる第２屈曲部１６と、第１屈曲部１４と第２屈曲部１６との間に設けられ、導電部材２０と接合されている接合部１８と、を備えている。第２屈曲部１６は、タブ９の他端が導電部材２０の上方に配置されるように屈曲している。
2017090472.tif 000002
【特許請求の範囲】
【請求項１】
正極電極及び負極電極を備える電極組立体と、
一端が前記電極組立体と電気的に接続されているタブと、
前記電極組立体の上方に配置され、前記タブと電気的に接続されている導電部材と、を備えており、
前記タブは、前記タブの前記一端の近傍に設けられる第１屈曲部と、前記タブの他端の近傍に設けられる第２屈曲部と、前記第１屈曲部と前記第２屈曲部との間に設けられ、前記導電部材と接合されている接合部と、を備えており、
前記第２屈曲部は、前記タブの前記他端が前記導電部材の上方に配置されるように屈曲している、蓄電装置。
【請求項２】
正極電極及び負極電極を備える電極組立体と、
一端が前記電極組立体と電気的に接続されているタブと、
前記電極組立体の上方に配置され、前記タブと電気的に接続されている導電部材と、を備えており、
前記タブは、前記タブの前記一端に近い側に配置される第１屈曲部と、前記タブの他端に近い側に配置される第２屈曲部と、前記第１屈曲部と前記第２屈曲部との間に設けられ、前記導電部材と接合されている接合部と、を備えており、
前記接合部は、前記導電部材の表面に沿って伸びており、
前記第２屈曲部は、前記接合部が伸びる方向から上方に向かって屈曲している、蓄電装置。
【請求項３】
前記導電部材は、前記タブの前記接合部の下方に配置されている、請求項１又は２に記載の蓄電装置。
【請求項４】
前記導電部材は、前記第１屈曲部の少なくとも一部の表面形状に倣う曲面形状部を備えており、
前記曲面形状部は、前記第１屈曲部の少なくとも一部において前記タブと接触している、請求項３に記載の蓄電装置。
【発明の詳細な説明】
【技術分野】
【０００１】
本出願は、２０１５年１１月２７日に出願された日本国特許出願第２０１５−２３２３８９号に基づく優先権を主張する。その出願の全ての内容はこの明細書中に参照により援用される。本明細書に開示する技術は、蓄電装置に関する。
【背景技術】
【０００２】
蓄電装置では、ケース内に収容された電極組立体は、タブを介して導電部材の一端に電気的に接続され、導電部材の他端は、ケースに設けられた電極端子に電気的に接続されている。電極組立体とタブと導電部材はケース内に収容されるため、これらの部材が意図しない位置でケース等に接触すると、電極組立体の正極電極と負極電極との短絡が生じる虞がある。このため、蓄電装置が短絡するリスクを抑制するための開発が進められている。例えば、特開２００３−６８２７３号公報に開示された密閉型電池は、電池要素（いわゆる電極組立体）とケースの蓋との間の空間にタブが折り畳まれており、折り畳まれたタブの屈曲部とケースの側壁との間に絶縁部材が設けられている。絶縁部材によって、タブとケースの側壁とが接触して短絡することが防止されている。
【発明の概要】
【発明が解決しようとする課題】
【０００３】
特開２００３−６８２７３号公報の密閉型電池のタブの先端は、電極導出ピン（導電部材の一例）の下方に位置している。すなわち、電池要素と電極導出ピンの間にタブの先端が位置する。電池要素とタブの先端との間には絶縁部材が配置されていないため、電池要素とタブの先端とが接触して短絡する虞がある。本明細書は、電極組立体とタブとが接触することによって短絡するリスクを抑制する蓄電装置を開示する。
【課題を解決するための手段】
【０００４】
本明細書に開示する第１の蓄電装置は、正極電極及び負極電極を備える電極組立体と、一端が電極組立体と電気的に接続されているタブと、電極組立体の上方に配置され、タブと電気的に接続されている導電部材と、を備えている。タブは、タブの一端の近傍に設けられる第１屈曲部と、タブの他端の近傍に設けられる第２屈曲部と、第１屈曲部と第２屈曲部との間に設けられ、導電部材と接合されている接合部と、を備えている。第２屈曲部は、タブの他端が導電部材の上方に配置されるように屈曲している。【０００５】
上記の蓄電装置では、タブの先端が導電部材の上方に位置するように折り曲げられている。このため、タブの先端と電極組立体との間には導電部材が配置され、タブの先端が下方に変位しても、タブの先端と電極組立体とが接触することを回避することができる。このため、蓄電装置が短絡するリスクを抑制することができる。【０００６】
本明細書が開示する第２の蓄電装置は、正極電極及び負極電極を備える電極組立体と、一端が電極組立体と電気的に接続されているタブと、電極組立体の上方に配置され、タブと電気的に接続されている導電部材と、を備えている。タブは、タブの一端に近い側に配置される第１屈曲部と、タブの他端に近い側に配置される第２屈曲部と、第１屈曲部と第２屈曲部との間に設けられ、導電部材と接合されている接合部と、を備えていている。接合部は、導電部材の表面に沿って伸びている。第２屈曲部は、接合部が伸びる方向から上方に向かって屈曲している。【０００７】
この蓄電装置でも、タブの他端に近い側に配置される第２屈曲部が上方に屈曲しているため、タブの先端と電極組立体とが接触することを回避することができる。このため、蓄電装置が短絡するリスクを抑制することができる。
【図面の簡単な説明】
【０００８】
【図１】実施例１に係る蓄電装置の断面図。
【図２】図１のＩＩ−ＩＩ線に示す位置の断面図（ｙｚ断面）。
【図３】実施例２に係る蓄電装置の特徴部分を示す断面図（ｙｚ断面）。
【図４】実施例３に係る蓄電装置の特徴部分を示す断面図（ｙｚ断面）。
【図５】実施例４に係る蓄電装置の断面図。
【図６】実施例４に係る蓄電装置が備える絶縁カバーの斜視図。
【図７】実施例５に係る蓄電装置の断面図。
【図８】実施例５に係る蓄電装置が備える絶縁カバーの分解斜視図。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）  本明細書が開示する蓄電装置では、導電部材は、タブの接合部の下方に配置されていてもよい。このような構成によると、第２屈曲部が導電部材の上方に配置され、好適にタブの先端を導電部材の上方に配置することができる。これによって、タブの先端と電極組立体とが接触する可能性をより回避することができる。
【００１１】
（特徴２）  本明細書が開示する蓄電装置では、導電部材は、第１屈曲部の少なくとも一部の表面形状に倣う曲面形状部を備えていてもよい。曲面形状部は、第１屈曲部の少なくとも一部においてタブと接触していてもよい。このような構成によると、導電部材とタブとの接触面積が大きくなり、抵抗を好適に下げることができる。
【実施例１】
【００１２】
以下、図面を参照して実施例に係る蓄電装置１００について説明する。図１に示すように、蓄電装置１００は、ケース１と、ケース１に収容された電極組立体３と、ケース１に固定された電極端子としての接続端子５，７とを備えている。電極組立体３と接続端子５，７とは電気的に接続されている。また、蓄電装置１００は、電極組立体３と接続端子７との間に配置された電流遮断装置５０を備えている。ケース１の内部は、電解液が注入されており、電極組立体３は、電解液に浸漬している。【００１３】
ケース１は、金属製であり、略直方体形状の箱型部材である。ケース１は、本体１１１と、本体１１１に固定された蓋部１１２とを備えている。蓋部１１２は、本体１１１の上部を覆っている。蓋部１１２には、取付孔８１、８２が形成されている。接続端子５は、取付孔８１を介してケース１の内外に通じており、接続端子７は、取付孔８２を介してケース１の内外に通じている。また、蓋部１１２には、図示しない安全弁と注液口が設けられている。安全弁は、ケース１内の圧力が上昇したときに破断するように、蓋部１１２の安全弁以外の部分より脆弱に形成されている。すなわち、ケース１内の圧力が上昇すると、安全弁が破断することによって、ケース１内のガス等がケース１外に放出される。また、注液口は、ケース１内に電解液を注入するために設けられており、電解液の注入後に封止される。【００１４】
電極組立体３は、正極電極と、負極電極と、正極電極と負極電極との間に配置されたセパレータとを備えている。電極組立体３は、正極電極、負極電極及びセパレータからなる積層体が複数積層されて構成されている。複数の正極電極のそれぞれ及び複数の負極電極のそれぞれは、集電部材と、集電部材上に形成されている活物質層とを備えている。集電部材としては、正極電極に用いられるものは、例えばアルミ箔であり、負極電極に用いられるものは、例えば銅箔である。また、電極組立体３は、正極電極毎に設けられた正極タブ９と、負極電極毎に設けられた負極タブ１１を備えている。【００１５】
正極タブ９は、正極電極の上端部に形成されている。負極タブ１１は、負極電極の上端部に形成されている。正極タブ９及び負極タブ１１は、電極組立体３の上方に突出している。複数の正極タブ９は、１つに纏められて導電部材２０に固定されている。複数の負極タブ１１は、１つに纏められて導電部材２２に固定されている。以下、複数の正極タブ９を１つに纏めたものを正極タブ群１０といい、複数の負極タブ１１を１つに纏めたものを負極タブ群１２という。正極タブ群１０及び負極タブ群１２の構成については後述する。正極タブ群１０とケース１との間には、絶縁部材３０が配置されている。負極タブ群１２とケース１との間には、絶縁部材３２が配置されている。絶縁部材３０は、正極タブ群１０とケース１の蓋部１１２とを絶縁している。絶縁部材３２は、負極タブ群１２とケース１の蓋部１１２とを絶縁している。なお、蓄電装置１００において、接続端子５，７を有する側を上方向（ｚ方向上側）とする。【００１６】
導電部材２０は、正極タブ群１０と接続端子５とに接続されている。導電部材２０を介して、正極タブ群１０と接続端子５とが電気的に接続されている。導電部材２２は、負極タブ群１２と接続端子５６とに接続されている。接続端子５６は、電流遮断装置５０を介して接続端子７に電気的に接続されている。よって、導電部材２２、接続端子５６及び電流遮断装置５０を介して、負極タブ群１２と接続端子７とが電気的に接続されている。これにより、電極組立体３と接続端子７とを接続する通電経路が形成されている。電流遮断装置５０は、感圧型の電流遮断装置であり、負極タブ群１２と接続端子７とを接続する通電経路を遮断可能である。過充電等によってケース内の内圧が設定圧力を超えると、電流遮断装置５０が作動し、通電経路が遮断される。なお、電流遮断装置５０については、公知の蓄電装置に用いられる電流遮断装置（例えば、特開２０１５−１６７０８５等に開示の電流遮断装置）と同一であるため、詳細な説明は省略する。【００１７】
蓋部１１２の上面には、樹脂製のガスケット６２、６３が配置されている。ガスケット６２は、接続端子５に固定されている。また、正極外部端子（金属プレート）６０が、ガスケット６２の上面に配置されている。正極外部端子６０には、貫通孔６０ａが形成されている。貫通孔６０ａは、上面側に比べ、下面側のサイズが大きくなっている。ガスケット６２は、蓋部１１２と正極外部端子６０を絶縁している。ボルト６４が、貫通孔６０ａを通過している。具体的には、ボルト６４の頭部が、貫通孔６０ａ内に収容されている。また、ボルト６４の軸部が、貫通孔６０ａを通って正極外部端子６０の上方に突出している。接続端子５、正極外部端子６０及びボルト６４は、電気的に接続されており、正極端子を構成している。ガスケット６３は、接続端子７に固定されている。負極外部端子６１が、ガスケット６３の上面に配置されている。負極外部端子６１には、正極外部端子６０の貫通孔６０ａと同様の貫通孔６１ａが形成されている。貫通孔６１ａ内にボルト６５の頭部が収容され、ボルト６５の軸部が貫通孔６１ａを通って、負極外部端子６１の上方に突出している。ガスケット６３、負極外部端子６１及びボルト６５の構成は、上述したガスケット６２、正極外部端子６０及びボルト６４の構成と同様である。接続端子７、負極外部端子６１及びボルト６５は、互いに電気的に接続されており、負極端子を構成している。【００１８】
図２を参照して、正極タブ群１０と導電部材２０の接続構造について説明する。正極タブ群１０は、電極組立体３の上面から上方に突出している。正極タブ群１０は、正極タブ群１０の下端において、電極組立体３（詳細には電極組立体３を構成する各正極）と電気的に接続され、正極タブ群１０の上端近傍において、導電部材２０と電気的に接続されている。正極タブ群１０の上端とケース１の蓋部１１２との間には絶縁部材３０が配設されている。具体的には、蓋部１１２の下面には絶縁部材３０が固定されており、絶縁部材３０の下面に正極タブ群１０の上端が接触している。図２に示すように、正極タブ群１０は、第１屈曲部１４、第２屈曲部１６及び接合部１８を備えている。【００１９】
第１屈曲部１４は、正極タブ群１０の下端近傍に設けられている。第１屈曲部１４は、電極組立体３から上方向（ｚ方向）に伸びる正極タブ群１０を、水平方向（ｙ方向（＋側））へ屈曲させることで形成されている。すなわち、正極タブ群１０は、電極組立体３の上端部から上方に向かって伸び、第１屈曲部１４で水平方向（ｙ方向（＋側））に屈曲し、導電部材２０の上面に沿って水平方向（ｙ方向（＋側））に伸びている。第１屈曲部１４の高さ方向（ｚ方向）の位置は、導電部材２０の高さ方向（ｚ方向）の位置と一致し、第１屈曲部１４の内周側において第１屈曲部１４と導電部材２０とが接触している。【００２０】
第２屈曲部１６は、正極タブ群１０の上端近傍に設けられている。すなわち、第１屈曲部１４は、正極タブ群１０の電極組立体３に接続する端部に近い側に配置されており、第２屈曲部１６は、正極タブ群１０の先端に近い側に配置されている。第２屈曲部１６は、第１屈曲部１４からｙ方向（＋）に伸びる正極タブ群１０を、蓋部１１２に向かって上方に折り返し、さらにｙ方向（−）に伸びるように屈曲させて形成されている。すなわち、正極タブ群１０は、第１屈曲部１４から水平方向に伸び、第２屈曲部１６で屈曲することで、蓋部１１２に向かって上方に折り畳まれている。正極タブ群１０の上端は、蓋部１１２と導電部材２０の間で側方に向かって伸びている（すなわち、ｙ方向（＋）からｙ方向（−）に伸びている）。第２屈曲部１６のｙ方向の位置は、導電部材２０のｙ方向（＋側）の端部の位置と略一致している。このため、正極タブ群１０は、導電部材２０の上面に沿って、導電部材の一端（ｙ方向（−側）の端部）から他端（ｙ方向（＋側）の端部）まで水平に伸びている。上記のように、正極タブ群１０は、電極組立体３と絶縁部材３０との間で２回屈曲し、正極タブ群１０の上端は、導電部材２０の上方であって、蓋部１１２の下方に配置される。正極タブ群１０の上端を導電部材２０の上方に配置することにより、蓄電装置１００の振動等によって正極タブ群１０の上端が下方に変位しても、正極タブ群１０の上端が電極組立体３と接触することを回避することができる。これによって、蓄電装置１００が短絡するリスクを好適に抑制することができる。なお、蓋部１１２の底面には、絶縁部材３０が配置されているため、正極タブ群１０の先端が蓋部１１２に接触し、蓄電装置１００が短絡することはない。【００２１】
接合部１８は、第１屈曲部１４と第２屈曲部１６との間に配置されている。すなわち、正極タブ群１０が導電部材２０の上面に沿って水平に伸びる部分に、接合部１８が形成されている。図２から明らかなように、第１屈曲部１４と第２屈曲部１６の間においては、正極タブ群１０の下面は導電部材２０の上面と接触している。接合部１８は、第１屈曲部１４と第２屈曲部１６との間において、正極タブ群１０と導電部材２０とを接合している。接合部１８の接合構造としては、正極タブ群１０と導電部材２０とが電気的に接続される方法であれば特に限定されず、例えば、溶接を採用することができる。なお、接合部１８は、第２屈曲部１６よりも第１屈曲部１４の近傍に配置することが好ましい。接合部１８を第１屈曲部１４の近傍に配置することにより、電極組立体３とより近い位置において正極タブ９と導電部材２０とが接合される。これによって、電極組立体３と接続端子５とを接続する通電経路の電気抵抗を小さくすることができる。【００２２】
導電部材２０は、接合部１８と電極組立体３の間に配置されている。導電部材２０のｙｚ断面における一端（ｙ方向（−側）の端部）には、曲面形状部２４が形成されている。曲面形状部２４は、第１屈曲部１４の内周側の表面形状に倣う形状となっている。具体的には、導電部材２０の曲面形状部２４では、図２に示すｙｚ断面において、上面と側面とを接続する角部がｒ形状に加工されており、また、下面と側面とを接続する角部がｒ形状に加工されている。これによって、導電部材２０の曲面形状部２４では、正極タブ群１０と導電部材２０とが接触して、両者が電気的に接続している。すなわち、導電部材２０と正極タブ９は、接合部１８において電気的に接続されると共に、第１屈曲部１４において接触により電気的に接続されている。このため、導電部材２０と正極タブ９とが電気的に接続する面積を大きくされ、両者の間の電気抵抗が小さくされている。また、導電部材２０の曲面形状部２４と正極タブ９の第１屈曲部との接触部位は、接合部１８よりも電極組立体３の近傍に設けられている。このため、正極タブ９と導電部材２０とは電極組立体３により近い位置で接触するため、両者の電気抵抗を好適に小さくされている。なお、図２から明らかなように、導電部材２０のｙｚ断面における他端（ｙ方向（＋側）の端部）には曲面形状部が形成されていない。すなわち、上面と側面とを接続する角部がｒ形状に加工されておらず、下面と側面とを接続する角部がｒ形状に加工されていない。ただし、導電部材２０のｙｚ断面における他端（ｙ方向（＋側）の端部）にも曲面形状部を形成してもよい。【００２３】
なお、図２を用いた説明は、正極タブ群１０と導電部材２０との接続構造についての説明であったが、負極タブ群１２と導電部材２２との接続構造も同様の構造となっている。すなわち、負極タブ群１２、導電部材２２及び絶縁部材３２の位置関係とそれらの形状は、正極タブ群１０、導電部材２０及び絶縁部材３０の構成と同様である。このため、電極組立体３から伸びる負極タブ群１２の上端が、電極組立体３と接触することを回避することができる。このため、負極タブ群１２においても、蓄電装置１００が短絡するリスクを好適に抑制されている。また、上記の実施例では、電極組立体３の端部に正極タブ９及び負極タブ１１を有する構成であったが、正極タブ９及び負極タブ１１は電極組立体３と別体に設けてもよい。
【実施例２】
【００２４】
なお、上記の実施例１では、導電部材２０が接合部１８と電極組立体３との間に配置されていたが、本明細書に開示の技術は、このような形態に限られない。例えば、図３に示す蓄電装置１０２のような構成を採用してもよい。蓄電装置１０２は、実施例１の蓄電装置１００の変形例であり、導電部材２０ａが接合部１８ａと蓋部１１２の間に配置される点で大きく異なる。以下の説明では、蓄電装置１００と同じ部品については、同一の番号を付すことにより、その説明を省略することがある。【００２５】
蓄電装置１０２では、導電部材２０ａが正極タブ群１０ａ（複数の正極タブ９ａを１つに纏めたもの）の接合部１８ａの上方に配置される。すなわち、正極タブ群１０ａの第１屈曲部１４ａは導電部材２０ａの下方に位置し、正極タブ群１０ａは導電部材２０ａの下面に沿って水平方向に伸び、正極タブ群１０ａの上面が導電部材２０ａの下面と接触している。正極タブ群１０ａの第２屈曲部１６ａにおいては、正極タブ群１０ａは導電部材２０ａの側面を回りむように屈曲し、正極タブ群１０ａの上端が蓋部１１２に向かって伸びている。正極タブ群１０の上端は、蓋部１１２と導電部材２０の間で側方に向かって伸びている（すなわち、ｙ方向（＋）からｙ方向（−）に伸びている）。本実施例に係る蓄電装置１０２でも、正極タブ群１０ａの上端は、導電部材２０ａの上方であって、蓋部１１２の下方に配置される。このため、正極タブ群１０ａの上端が、電極組立体３と接触することを回避することができ、蓄電装置１０２が短絡するリスクを抑制することができる。なお、本実施例の構成についても、負極タブ群１２と導電部材２２との接続構造に適用することができる。
【実施例３】
【００２６】
なお、上記の実施例では、正極タブ群１０、１０ａの上端は導電部材２０、２０ａと蓋部１１２の間に配置されていたが、このような形態に限られない。例えば、図４に示す蓄電装置１０４のような構成を採用してもよい。蓄電装置１０４は、正極タブ群１１０ａの上端が導電部材２０ａと蓋部１１２の間に配置されていない点が実施例２の蓄電装置１０２と大きく異なり、その他の点については実施例２の蓄電装置１０２と同一の構成を採用する。このため、以下の説明では、蓄電装置１０２と同じ部品については、同一の番号を付すことにより、その説明を省略することがある。【００２７】
蓄電装置１０４では、第２屈曲部１１６ａは、正極タブ群１１０ａが上方に向かって屈曲する。すなわち、正極タブ群１１０ａは、接合部１８ａから第２屈曲部１１６ａまでの範囲においては、導電部材２０ａの表面に沿って伸びている（すなわち、ｙ方向（＋）に伸びている）。そして、正極タブ群１１０ａは、第２屈曲部１１６ａにおいて、水平方向から略垂直に折れ曲がり、その上端が上方（すなわち、蓋部１１２）に向かって伸びている。このため、正極タブ群１１０ａの上端は、導電部材２０ａと蓋部１１２の間に配置されることなく、第２屈曲部１１６ａの上方に配置される。本実施例に係る蓄電装置１０４でも、第２屈曲部１１６ａによって正極タブ群１１０ａが上方に屈曲されるため、正極タブ群１１０ａの上端が電極組立体３と接触することを回避することができ、蓄電装置１０４が短絡するリスクを抑制することができる。なお、本実施例の構成についても、負極タブ群１２と導電部材２２との接続構造に適用することができる。
【実施例４】
【００２８】
なお、上記の実施例１〜３では、蓋部１１２と導電部材２０、２０ａとの間に絶縁部材３０が配置され、蓋部１１２と導電部材２２の間に絶縁部材３２が配置されていたが、このような構成に限られない。例えば、図５及び図６に示す蓄電装置１０６のような構成を採用してもよい。蓄電装置１０６は、絶縁部材３０、３２を配置する代わりに、絶縁カバー１３０を配置する点で大きく異なる。以下の説明では、実施例１の蓄電装置１００と同じ部品については、同一の番号を付すことにより、その説明を省略することがある。【００２９】
図５に示すように、絶縁カバー１３０は、接続端子５の下方に配置される第１部分１３２と、接続端子７の下方に配置される第２部分１３４と、第１部分１３２と第２部分１３４の間に配置される第３部分１３６と、第１部分１３２及び第２部分１３４と第３部分１３６とを接続する側面１３８を備えている。【００３０】
図６に示すように、第１部分１３２、第２部分１３４及び第３部分１３６は、それぞれ略矩形の板状であり、ｘｙ平面に平行に配置されている。第１部分１３２、第２部分１３４及び第３部分１３６の導電部材２０、２２の長手方向（ｘ方向）と直交する方向（すなわち、ｙ方向）の寸法は、略一致している。第１部分１３２、第２部分１３４及び第３部分１３６のｙ方向の端部は、互いに一致するように配置されている。第２部分１３４の中央には、ｚ方向に貫通する第１貫通孔１３５が設けられている。第１貫通孔１３５が設けられることによって、電流遮断装置５０はケース１内の圧力を受けやすくなる。すなわち、電流遮断装置５０の受圧面に対応する位置に第１貫通孔１３５が設けられており、ケース１内の圧力が電流遮断装置５０の受圧面に作用し易くなっている。第３部分１３６は、第１部分１３２及び第２部分１３４より上方に配置されており、蓋部１１２と導電部材２０、２２との間に配置されている（図５参照）。第３部分１３６の中央には、ｚ方向に貫通する第２貫通孔１３７及び第３貫通孔１３９が設けられている。第２貫通孔１３７は、蓋部１１２に設けられる安全弁に対応する位置に設けられている。第２貫通孔１３７が設けられることによって、ケース１内の圧力が上昇したときに、安全弁にケース１内の圧力が作用し易くなっている。第３貫通孔１３９は、蓋部１１２に設けられる注液口に対応する位置に設けられている。第３貫通孔１３９が設けられることによって、ケース１内に電解液を注入し易くなっている。【００３１】
側面１３８は、略矩形の板状であり、第１部分１３２、第２部分１３４及び第３部分１３６に対して垂直に（すなわち、ｘｚ平面に平行に）配置されている。側面１３８は、第１部分１３２及び第２部分１３４と第３部分１３６とを接続している。側面１３８の導電部材２０、２２の長手方向（すなわち、図５のｘ方向）の寸法は、第３部分１３６のｘ方向の寸法と略一致しており、側面１３８と第３部分１３６は、ｙ方向から見たときに、ｘ方向の辺が一致するように配置されている。側面１３８は第３部分１３６の下方に配置されており、側面１３８と第３部分１３６は、ｙ方向（−）側の端部が一致するように配置されている。第１部分１３２のｘ方向（−）側の端部と第２部分１３４のｘ方向（＋）側の端部は、側面１３８に接続されている。第１部分１３２と第２部分１３４と側面１３８は、下端及びｙ方向（−）側の端部が一致するように配置されている。【００３２】
図６に示すように、絶縁カバー１３０は、ｙ方向（−）側に側面１３８を備えている一方で、ｙ方向（＋）側に側面を備えていない。このため、絶縁カバー１３０は、蓋部１１２、接続端子５、７及び導電部材２０、２２に対して、ｙ方向（−）側からｙ方向（＋）側に向かって装着可能となる。本実施例では、絶縁カバー１３０、蓋部１１２、接続端子５、７及び導電部材２０、２２の組付けを容易に行うことができる。すなわち、蓋部１１２と導電部材２０，２２との間に絶縁カバー１３０の第３部分１３６が配置され、接続端子５の下方に第１部分１３２が配置され、電流遮断装置５０の下方に第２部分１３４が配置されるように、蓋部１１２（詳細には、接続端子５、電流遮断装置５０及び導電部材２０、２２等が組付けられた状態の蓋部１１２）に側方からｙ方向（＋）にスライドさせて組付ける。【００３３】
絶縁カバー１３０を用いる場合でも、上述した実施例１〜３に記載された正極タブ群１０、１０ａ、１１０ａと導電部材２０との接続構造を採用することができる。すなわち、正極タブ群１０、１０ａ、１１０ａが第２屈曲部１６、１６ａ、１１６ａによって上方に屈曲されることによって、正極タブ群１０、１０ａ、１１０ａの上端は第２屈曲部１６、１６ａ、１１６ａの上方に配置される。なお、図５では、正極タブ群は正極タブ群１０として記載されているが、正極タブ群は正極タブ群１０ａ、１１０ａであってもよい。同様にして、負極タブ群１２と導電部材２２との接続構造についても上記の構成を採用することができる。このため、本実施例においても、正極タブ群１０の上端及び負極タブ群１２の上端が電極組立体３と接触することを回避することができ、蓄電装置１０６が短絡するリスクを抑制することができる。また、本実施例の蓄電装置１０６では、接続端子５と電極組立体３の間に絶縁カバー１３０の第１部分１３２が配置され、また、電流遮断装置５０と電極組立体３の間に絶縁カバー１３０の第２部分１３４が配置される。このため、これらの部材間で短絡が生じることを抑制することができる。さらに、導電部材２０，２２のｙ方向（−）の端面とケース１の側面との間に、絶縁カバー１３０の側面１３８が配置されるため、導電部材２０，２２及びタブ群１０，１２とケース１とが短絡する可能性を低減することができる。
【実施例５】
【００３４】
なお、上記の実施例４では、絶縁カバー１３０を用いていたが、このような構成に限られない。図７及び図８に示すように、例えば、蓄電装置１０８が備える絶縁カバー１４０が別体の２つの部品１４２ａ、１４２ｂによって構成されていてもよい。なお、以下の説明では、実施例４と同じ部品については、同一の番号を付すことにより、その説明を省略することがある。【００３５】
図８に示すように、絶縁カバー１４０は、２つの部品１４２ａ、１４２ｂによって構成されている。部品１４２ａは、第１部分１３２と、第４部分１３６ａと、側面１３８を備えている。第４部分１３６ａは、第１部分１３２と平行に配置されており、蓋部１１２と導電部材２０との間に配置されている（図７参照）。第４部分１３６ａは側面１３８の上端に配置されており、第４部分１３６ａと側面１３８は、ｙ方向（−）側の端部及びｘ方向（＋）側の端部が一致するように配置されている。第４部分１３６ａは、実施例４の第２部分１３６よりｘ方向の寸法が短くされている。なお、第１部分１３２と側面１３８は、実施例４の絶縁カバー１３０と同一構成であるため、詳細な説明は省略する。【００３６】
部品１４２ｂは、第２部分１３４と、第５部分１３６ｂと、側面１３８ｂを備えている。第５部分１３６ｂは、第２部分１３４と平行に配置されており、蓋部１１２と導電部材２２との間に配置されている（図７参照）。第５部分１３６ｂは側面１３８ｂの上端に配置されており、第５部分１３６ｂと側面１３８ｂは、ｙ方向（＋）側の端部及びｘ方向（−）側の端部が一致するように配置されている。第５部分１３６ｂは、実施例４の第２部分１３６よりｘ方向の寸法が短くされている。第４部分１３６ａと第５部分１３６ｂの間には間隙があり、部品１４２ａ，１４２ｂが組み合わされた時に両者は接続していない（図７参照）。また、蓋部１１２に設けられる安全弁と注液口に対応する位置に、第４部分１３６ａと第５部分１３６ｂの間の間隙が設けられる。側面１３８ｂは、側面１３８と略同一の形状であり、絶縁カバー１４０のｙ方向（＋）側に配置されている。側面１３８ｂは、ｙ方向から見たときに、側面１３８と一致するように配置されている。側面１３８ｂは、第２部分１３４と第５部分１３６ｂを接続している。【００３７】
絶縁カバー１４０は、２つの別体の部品１４２ａ、１４２ｂによって構成されている。このため、絶縁カバー１４０では、部品１４２ａが、蓋部１１２、接続端子５及び導電部材２０に対して、ｙ方向（−）側からｙ方向（＋）側に向かって装着可能となる。一方、部品１４２ｂは、蓋部１１２、接続端子７及び導電部材２２に対して、ｙ方向（＋）側からｙ方向（−）側に向かって装着可能となる。本実施例においても、絶縁カバー１４０、蓋部１１２、接続端子５、７及び導電部材２０、２２の組み付けを容易に行うことができる。【００３８】
絶縁カバー１４０を用いる場合でも、実施例４の絶縁カバー１３０を用いた場合と同様に、正極タブ群１０、１０ａ、１１０ａと導電部材２０との接続構造を採用することができ、負極タブ群１２と導電部材２２との接続構造についても同様の構成を採用することができる。このため、本実施例においても、正極タブ群１０、１０ａ、１１０ａの上端及び負極タブ群１２の上端が電極組立体３と接触することを回避することができ、蓄電装置１０８が短絡するリスクを抑制することができる。また、絶縁カバー１４０は、２つの側面１３８、１３８ｂを備えている。これによって、正極タブ群１０、１０ａ、１１０ａの第１屈曲部１４、１４ａ及び上端がケース本体１１１と接触することを回避することができる。同様に、絶縁カバー１４０は、負極タブ群１２がケース本体１１１と接触することを回避することができる。【００３９】
以上、本明細書に開示の技術の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。
【図１】
2017090472.tif 000003
【図２】
2017090472.tif 000004
【図３】
2017090472.tif 000005
【図４】
2017090472.tif 000006
【図５】
2017090472.tif 000007
【図６】
2017090472.tif 000008
【図７】
2017090472.tif 000009
【図８】
2017090472.tif 000010
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
正極電極及び負極電極を備える電極組立体と、
一端が前記電極組立体と電気的に接続されているタブと、
前記電極組立体の上方に配置され、前記タブと電気的に接続されている導電部材と、を備えており、
前記タブは、前記タブの前記一端の近傍に設けられる第１屈曲部と、前記タブの他端の近傍に設けられる第２屈曲部と、前記第１屈曲部と前記第２屈曲部との間に設けられ、前記導電部材と接合されている接合部と、を備えており、
前記第２屈曲部は、前記タブの前記他端が前記導電部材の上方に配置されるように屈曲している、蓄電装置。
【請求項２】
正極電極及び負極電極を備える電極組立体と、
一端が前記電極組立体と電気的に接続されているタブと、
前記電極組立体の上方に配置され、前記タブと電気的に接続されている導電部材と、を備えており、
前記タブは、前記タブの前記一端に近い側に配置される第１屈曲部と、前記タブの他端に近い側に配置される第２屈曲部と、前記第１屈曲部と前記第２屈曲部との間に設けられ、前記導電部材と接合されている接合部と、を備えており、
前記接合部は、前記導電部材の表面に沿って伸びており、
前記第２屈曲部は、前記接合部が伸びる方向から上方に向かって屈曲している、蓄電装置。
【請求項３】
前記導電部材は、前記タブの前記接合部の下方に配置されている、請求項１又は２に記載の蓄電装置。
【請求項４】
前記導電部材は、前記第１屈曲部の少なくとも一部の表面形状に倣う曲面形状部を備えており、
前記曲面形状部は、前記第１屈曲部の少なくとも一部において前記タブと接触している、請求項３に記載の蓄電装置。
【請求項５】
前記第１屈曲部では、前記タブの一端が前記電極組立体と接続する面に対して略平行に前記タブが屈曲し、かつ、前記タブの一端が前記電極組立体と接続する面に対して直交する方向に前記タブが伸びていない、請求項１〜４のいずれか一項に記載の蓄電装置。
【請求項６】
前記タブの一端が前記電極組立体と接続する面と直交する方向から前記導電部材を見たときに、前記導電部材は前記タブと重なる部分を備えており、
前記タブと重なる部分は、平板状である、請求項１〜５のいずれか一項に記載の蓄電装置。
【請求項７】
前記タブの一端が前記電極組立体と接続する面と直交する方向から前記導電部材を見たときに、前記導電部材は前記タブと重なる部分を備えており、
前記タブと重なる部分の全体は、前記接合部の下方に配置されている、請求項１〜６のいずれか一項に記載の蓄電装置。
【国際調査報告】
2017090472.tif 000011
2017090472.tif 000012